(57)【特許請求の範囲】
【請求項１】
肌対向面側に配された表面シートと、非肌対向面側に配された裏面シートと、これら両シート間に配された縦長の吸収体とを備えた吸収性物品であって、
前記吸収体は、吸収ポリマーを含む股間部の括れた吸収性コアを有し、
前記吸収性コアは、相対的に坪量が高い凸状の複数の凸部及び各該凸部を囲む相対的に坪量が低い溝部からなるブロック構造が腹側部から背側部に亘って縦方向に複数配されたブロック領域と、該ブロック領域の外周を囲む非ブロック領域とを有しており、
前記ブロック領域は、該ブロック領域の腹側部及び背側部それぞれの幅が、該ブロック領域の股間部の幅よりも大きく形成されており、
前記ブロック領域の腹側部は、前記吸収性コアの腹側部の幅が狭まり始める股間部側の位置を越えて、股間部側に延在しており、
前記ブロック領域の背側部は、前記吸収性コアの背側部の幅が狭まり始める股間部側の位置を越えて、股間部側に延在しており、
前記吸収性コアの腹側部の前記位置を越える前記ブロック領域の腹側部の部分の縦方向の長さは、前記吸収性コアの背側部の前記位置を越える前記ブロック領域の背側部の部分の縦方向の長さよりも長い吸収性物品。
【請求項２】
前記ブロック領域の腹側部の形状と前記ブロック領域の背側部の形状とが、前記吸収性コアの横方向に延びる中心線に対して対称に形成されている請求項１記載の吸収性物品。
【請求項３】
前記吸収性コアは、縦方向の前後端部それぞれの角に内方側に凸の括れ部を有しており、前記ブロック領域の腹側部及び背側部は、それぞれ、前記吸収性コアの腹側部又は背側部の幅が狭まり始める外方側の位置を越えて、外方側に延在している請求項１又は２記載の吸収性物品。
【請求項４】
前記ブロック領域の最外周を囲む前記溝部の角部が丸みを帯びている請求項１〜３の何れか１項記載の吸収性物品。
【発明の詳細な説明】
【技術分野】
【０００１】
本発明は、使い捨ておむつ等の吸収性物品に関する。
【背景技術】
【０００２】
従来、平面方向に延設された溝が設けられたブロック状の吸収体（吸収性コア）を用いた吸収性物品が知られている（特許文献１，２参照）。特許文献１に記載の吸収性物品の備える吸収体には、長手方向略中央部から腹側部と背側部に延在する縦エンボス凹部が、幅方向に間隔を空けて複数本配されている。このような吸収体を備えていると、縦エンボス凹部により体液が拡散され易く、使用中の体液の吸収性が向上する。
【０００３】
しかし、特許文献１に記載の吸収体の有する縦エンボス凹部は、エンボス加工により形成されているため、該縦エンボス凹部部分が高密度となっており、吸収体全体の剛性が高まってしまう。
【０００４】
それに対し、特許文献２に記載の使い捨ておむつの備える吸収性コアは、前後方向へ延びる仮想線に沿って完全に分割されており、更に、該仮想線と直交する方向の仮想線に沿っても完全に分割されて形成されている。このように吸収性コアを完全に分割して溝を形成しているので、使用中の体液の吸収性が向上すると共に、吸収体全体の剛性が低くなっており柔軟性が向上する。
【先行技術文献】
【特許文献】
【０００５】
【特許文献１】特開２００５−７３９２１号公報
【特許文献２】特開平１１−２１６１６１号公報
【発明の概要】
【発明が解決しようとする課題】
【０００６】
しかし、特許文献２に記載の吸収性物品の吸収体は、吸収性コアを完全に分割して溝を形成しているので、吸収性コアの強度が著しく低下しており、体液吸収後に吸収性コアの形状が崩れてしまう。また、特許文献２には、吸収性コアの中に配された溝により形成されるブロック構造の形状について何ら記載されていない。
【０００７】
従って、本発明は、前述した従来技術が有する欠点を解消し得る吸収体を備えた吸収性物品を提供することに関するものである。
【課題を解決するための手段】
【０００８】
本発明は、肌対向面側に配された表面シートと、非肌対向面側に配された裏面シートと、これら両シート間に配された縦長の吸収体とを備えた吸収性物品であって、前記吸収体は、吸収ポリマーを含む股間部の括れた吸収性コアを有し、前記吸収性コアは、相対的に坪量が高い凸状の複数の凸部及び各該凸部を囲む相対的に坪量が低い溝部からなるブロック構造が腹側部から背側部に亘って縦方向に複数配されたブロック領域と、該ブロック領域の外周を囲む非ブロック領域とを有しており、前記ブロック領域は、該ブロック領域の腹側部及び背側部それぞれの幅が、該ブロック領域の股間部の幅よりも大きく形成されており、前記ブロック領域の腹側部は、前記吸収性コアの腹側部の幅が狭まり始める股間部側の位置を越えて、股間部側に延在している吸収性物品を提供するものである。
【発明の効果】
【０００９】
本発明の吸収性物品によれば、使用中の体液の吸収性が向上し、吸収体全体の柔軟性が向上していると共に、体液吸収後の吸収体の形状保持性が向上する。
【図面の簡単な説明】
【００１０】
【図１】図１は、本発明の実施形態である展開型の使い捨ておむつの斜視図である。
【図２】図２は、図１に示す使い捨ておむつを表面シート側から見た一部破断平面図である。
【図３】図３は、図２のＩ−Ｉ線断面図である。
【図４】図４は、図１に示す使い捨ておむつの有する吸収性コアを裏面シート側から見た平面図である。
【図５】図５は、本発明の実施形態である展開型の使い捨ておむつに用いる吸収体の製造装置の一例を示す概略図である。
【図６】図６は、図５に示す回転ドラムにおける外周面側の一部（凹部）の幅方向に沿った模式断面図である。
【図７】図７は、図５に示す回転ドラムの凹部に吸収性材料が堆積した状態を示す模式断面図である。
【図８】図８は、本発明の実施形態である使い捨ておむつの有する他の吸収性コアを裏面シート側から見た平面図である。
【発明を実施するための形態】
【００１１】
以下、本発明の吸収性物品を、その好ましい実施形態に基づき、図１〜図４を参照しながら説明する。図１には本発明の一実施形態である展開型の使い捨ておむつの斜視図が示されており、図２には図１に示す使い捨ておむつを表面シート側から見た一部破断平面図が示されており、図３には図２のＩ−Ｉ線断面図が示されている。また、図４には図１に示す使い捨ておむつの有する吸収性コアの平面図が示されている。
【００１２】
本実施形態の使い捨ておむつ１（以下、「おむつ１」ともいう。）は、図１〜図３に示すように、肌対向面側に配された表面シート２と、非肌対向面側に配された裏面シート３と、これら両シート２，３間に配された縦長の吸収体４とを備えている。おむつ１は、図２に示すように、縦方向に延びる中心線ＣＬに対して左右対称に形成されている。
【００１３】
おむつ１は、図２に示すように、縦方向（以下「Ｙ方向」ともいう。Ｙ方向：中心線ＣＬに平行な方向をいう。）に、腹側部Ａ、背側部Ｂ及びこれらＡ，Ｂの間に位置する股間部Ｃを有している。腹側部Ａは、おむつ着用時に着用者の腹側に位置する部位であり、背側部Ｂは、着用者の背側に位置する部位であり、股間部Ｃは、着用者の股下に位置する部位である。股間部Ｃは、おむつ１の縦方向（Ｙ方向）中央部に位置している。尚、縦方向（Ｙ方向）に直交する方向を、おむつ１の横方向（以下「Ｘ方向」ともいう。）として説明する。尚、横方向（Ｘ方向）の長さを「幅」として説明する。
本明細書において、「肌対向面」とは、おむつ１を構成する表面シート２などの各部材の表裏両面のうち、着用時に着用者の肌側に配される面であり、「非肌対向面」とは、表面シート２などの各部材の表裏両面のうち、着用時に着用者の肌側とは反対側に向けられる面である。
【００１４】
おむつ１は、図２に示すように、腹側部Ａの左右両側縁及び背側部Ｂの左右両側縁それぞれが股間部Ｃの左右両側縁よりも横方向（Ｘ方向）外方に延出している。そして、股間部Ｃの左右両側縁が横方向（Ｘ方向）内方に向かって円弧状に湾曲しており、全体として縦方向（Ｙ方向）中央部が内方に括れた形状を有している。表面シート２及び裏面シート３は、それぞれ、吸収体４の左右両側縁及び前後両端縁から外方に延出している。表面シート２は、図３に示すように、その横方向（Ｘ方向）の寸法が、裏面シート３の横方向（Ｘ方向）の寸法より小さくなっている。表面シート２及び裏面シート３はそれぞれ、吸収体４の周縁から外方に延出した延出部において直接的に又は他の部材を介在させて互いに接合されており、吸収体４を挟持・固定している。
【００１５】
おむつ１は、図１，図２に示すように、いわゆる展開型のおむつであり、背側部Ｂの左右両側縁部に一対のファスニングテープ７，７が設けられ、腹側部Ａの外表面（非肌対向面）に、該ファスニングテープ７，７を止着させるランディングテープ８が設けられている。図２に示すように、おむつ１の縦方向（Ｙ方向）に沿う両側部それぞれには、Ｙ方向に伸長状態で固定された弾性部材６１を有する立体ギャザー形成用シート６２が、表面シート２の側部に配され固定されており、これによって一対の立体ギャザー６，６（図１，図３参照）が形成される。また、図２に示すように、おむつ１の縦方向（Ｙ方向）に沿う両側部それぞれには、レッグギャザー形成用の複数本のレッグ弾性部材６３がＹ方向に伸長状態に配されており、レッグ弾性部材６３の収縮によりレッグギャザーが形成される。また、おむつ１の背側部Ｂ側の縦方向（Ｙ方向）端部には、ウエストギャザー形成用のウエスト部弾性部材６４がＸ方向に伸長状態に配されており、ウエスト部弾性部材６４の収縮によりウエストギャザーが形成される。
【００１６】
吸収体４は、図２，図３に示すように、吸収ポリマーを含む股間部Ｃの括れた吸収性コア４１を有しており、おむつ１においては、吸収性コア４１を包む被覆材４２も有している。吸収体４は、おむつ１においては、縦方向（Ｙ方向）に長い液保持性の吸収性コア４１を、液透過性の親水性シートである被覆材４２で被覆して形成されている。一般的に、吸収性物品（例えば、おむつ）における腹側部Ａ、背側部Ｂ及び股間部Ｃは、吸収体４における腹側部Ａ、背側部Ｂ及び股間部Ｃとそれぞれ略一致している
【００１７】
吸収性コア４１は、図２，図４に示すように、腹側部Ａの左右両側縁及び背側部Ｂの左右両側縁それぞれが股間部Ｃの左右両側縁よりも横方向（Ｘ方向）外方に延出している。そして、おむつ１においては、股間部Ｃの左右両側縁が横方向（Ｘ方向）内方に向かって円弧状に湾曲しており、全体として縦方向（Ｙ方向）中央部である股間部Ｃが内方に括れた形状を有している。吸収性コア４１は、おむつ１においては、図４に示すように、腹側部Ａにおける全体の幅Ｗａが背側部Ｂにおける全体の幅Ｗｂよりも広く、股間部Ｃにおける全体の幅Ｗｃが最も狭くなっている。尚、幅Ｗａ，Ｗｂは、最も広い位置で測定した値であり、幅Ｗｃは、最も狭い位置で測定した値である。
【００１８】
吸収性コア４１は、図２，図４に示すように、相対的に坪量が高い凸状の複数の凸部４３及び各凸部４３を囲む相対的に坪量が低い溝部４４からなるブロック構造４００が腹側部Ａから背側部Ｂに亘って縦方向（Ｙ方向）に複数配されたブロック領域４１１と、ブロック領域４１１の外周を囲む非ブロック領域４１２とを有している。非ブロック領域４１２は、高坪量の凸部４３と同様に、相対的に坪量が高くなっている。
【００１９】
吸収性コア４１の溝部４４は、おむつ１においては、図２，図４に示すように、縦方向（Ｙ方向）に延びる縦溝４４Ｙと、横方向（Ｘ方向）に延びる横溝４４Ｘとからなる。従って、吸収性コア４１のブロック領域４１１は、おむつ１においては、図２，図４に示すように、縦方向（Ｙ方向）に延びる縦溝４４Ｙと、横方向（Ｘ方向）に延びる横溝４４Ｘと、縦溝４４Ｙ及び横溝４４Ｘで区画された部位（格子の目の位置）に配され且つ溝４４Ｙ及び横溝４４Ｘそれぞれの部位より坪量の高い複数の縦長の高坪量の凸部４３とからなるブロック構造４００が、腹側部Ａから背側部Ｂに亘って縦方向（Ｙ方向）に連続して配されて形成されている。尚、おむつ１においては、溝部４４を構成する縦溝４４Ｙは、図２，図４に示すように、縦方向（Ｙ方向）に平行に延びているが、縦方向（Ｙ方向）に延びていれば曲線であってもよく、傾斜して延びていてもよい。溝部４４を構成する横溝４４Ｘも同様である。
【００２０】
吸収性コア４１のブロック領域４１１は、図２，図４に示すように、ブロック領域４１１の腹側部４１１ａの幅Ｗａ１及び背側部４１１ｂの幅Ｗｂ１それぞれが、ブロック領域４１１の股間部４１１ｃの幅Ｗｃ１よりも大きく形成されている。具体的に説明すると、図４に示すように、おむつ１のブロック領域４１１は、おむつ１の腹側部Ａ側に配される腹側のブロック領域４１１ａ、おむつ１の背側部Ｂ側に配される背側のブロック領域４１１ｂ、腹側のブロック領域４１１ａと背側のブロック領域４１１ｂとの間に配される股間のブロック領域４１１ｃの３つに大別できる。そして、矩形状の腹側のブロック領域４１１ａ、矩形状の股間のブロック領域４１１ｃ及び矩形状の背側のブロック領域４１１ｂが、腹側部Ａから背側部Ｂに亘って縦方向（Ｙ方向）に連続して配されている。腹側のブロック領域４１１ａ及び背側のブロック領域４１１ｂは、それぞれ、股間のブロック領域４１１ｃよりも幅方向（Ｘ方向）外方に延出している。おむつ１においては、腹側のブロック領域４１１ａの幅（ブロック領域４１１の腹側部４１１ａの幅Ｗａ１）と背側のブロック領域４１１ｂの幅（ブロック領域４１１の背側部４１１ｂの幅Ｗｂ１）とは同じである。また、股間のブロック領域４１１ｃの幅（ブロック領域４１１の股間部４１１ｃの幅Ｗｃ１）が最も狭くなっている。尚、幅Ｗａ１，Ｗｂ１は、最も広い位置で測定した値であり、幅Ｗｃ１は、最も狭い位置で測定した値である。
【００２１】
吸収性コア４１のブロック領域４１１について更に具体的に説明する。おむつ１においては、図４に示すように、背側のブロック領域４１１ｂは、縦溝４４Ｙ及び横溝４４Ｘで区画された凸部４３が、規則的に横方向（Ｘ方向）に５個配されたブロック構造が、規則的に縦方向（Ｙ方向）に４行配されて形成されている。また、図４に示すように、股間のブロック領域４１１ｃは、凸部４３が、規則的に横方向（Ｘ方向）に３個配されたブロック構造が、規則的に縦方向（Ｙ方向）に７行配されて形成されている。また、図４に示すように、腹側のブロック領域４１１ａは、縦溝４４Ｙ及び横溝４４Ｘで区画された凸部４３が、規則的に横方向（Ｘ方向）に５個配されたブロック構造が、規則的に縦方向（Ｙ方向）に４行配されて形成されている。おむつ１のブロック領域４１１においては、図４に示すように、６本の縦溝４４Ｙの中の４本が、それぞれ、腹側部Ａから背側部Ｂに亘って直線状に配されている。
【００２２】
本発明においては、上述したように、吸収性コア４１の股間部Ｃが内方に括れており、さらに、吸収性コア４１を構成するブロック領域４１１の股間部Ｃも内方に括れている。そして、本発明においては、ブロック領域４１１の腹側部４１１ａは、吸収性コア４１の腹側部Ａの幅が狭まり始める股間部Ｃ側の位置Ｋａ１を越えて、股間部Ｃ側に延在している。ここで、「吸収性コア４１の腹側部Ａの幅が狭まり始める股間部Ｃ側の位置Ｋａ１」とは、具体的には、図４に示すように、吸収性コア４１の腹側部Ａの中の互いに略平行に縦方向（Ｙ方向）に延びる両側縁における一側縁に沿う縦方向（Ｙ方向）に延びる仮想線ＩＬａを描いた際に、前記一側縁から股間部Ｃ側に延在する吸収性コア４１の輪郭と前記仮想線ＩＬａとのなす角αが、少なくとも１０°となる位置を意味する。また、おむつ１においては、ブロック領域４１１の背側部４１１ｂも、吸収性コア４１の背側部Ｂの幅が狭まり始める股間部Ｃ側の位置Ｋｂ１を越えて、股間部Ｃ側に延在している。位置Ｋｂ１も、上述した位置Ｋａ１と同様に、図４に示すように、吸収性コア４１の背側部Ｂの中の互いに略平行に縦方向（Ｙ方向）に延びる両側縁における一側縁に沿う縦方向（Ｙ方向）に延びる仮想線ＩＬｂを描き、前記一側縁から股間部Ｃ側に延在する吸収性コア４１の輪郭と前記仮想線ＩＬｂとがなす角αとなる位置を意味する。
【００２３】
おむつ１においては、図４に示すように、吸収性コア４１の腹側部Ａの位置Ｋａ１を越えるブロック領域４１１の腹側部４１１ａの部分の縦方向（Ｙ方向）の長さＬ５は、吸収性コア４１の背側部Ｂの位置Ｋｂ１を越えるブロック領域４１１の背側部４１１ｂの部分の縦方向（Ｙ方向）の長さＬ６よりも長くなっている。着用時のおむつにおいて、おむつの股間部Ｃが着用者の動きに最も影響を受け易く、その結果、股間部Ｃと背側部Ｂ、股間部Ｃと腹側部Ａとの境界線で吸収性コア４１の幅が最も広がった部位であるＫｂ１およびＫａ１に応力が集中しやすい。特に股間部Ｃの前側部分すなわち腹側近接部の方が、動きが大きいためにＫａ１の方に応力が集中しやすい。そこでブロック領域４１１の括れ部分をＫａ１およびＫｂ１からずれるようして配することにより直接応力を受けないようして吸収性コア４１の壊れを防止することができる。したがって、ブロック領域４１１をなるべく多く設けながら吸収性コア４１の湿潤強度を高めるためには、ブロック領域４１１の括れ部分をＫａ１およびＫｂ１に対して股間部Ｃ側に移動させることで達成できる。また、腹側部Ａは背側部Ｂと比べると着用者の動きが少なくため結果的に股間部Ｃに対する相対的な動きがＫａ１で大きくなる傾向がある。そのため上述のように腹側部４１１ａの長さＬ５が背側部４１１ｂの長さＬ６よりも長くなると、着用時に吸収性コアがねじれの応力を受けたとしても、応力が伝達され難く、体液吸収後の吸収性コアの形状保持性を高めることができる。また、吸収性コア４１の背側部Ｂにおいて、ブロック領域４１１の背側部４１１ｂの割合を多くすることにより、臀部の複雑な形状に沿い易くし、柔軟性を向上させることができる。尚、長さＬ５，Ｌ６の具体的範囲については、後で詳述する。
【００２４】
おむつ１においては、図４に示すように、吸収性コア４１は、縦方向（Ｙ方向）の前後端部それぞれの角に内方側に凸の括れ部４１ｅａ，４１ｅｂを有している。そして、ブロック領域４１１の腹側部４１１ａは、吸収性コア４１の腹側部Ａの幅が狭まり始める位置Ｋａ２を越えて外方側に延在しており、ブロック領域４１１の背側部４１１ｂも、吸収性コア４１の背側部Ｂの幅が狭まり始める位置Ｋｂ２を越えて外方側に延在している。位置Ｋａ２も、上述した位置Ｋａ１と同様に、図４に示すように、吸収性コア４１の腹側部Ａに仮想線ＩＬａを描き、前記一側縁から外方側に延在する吸収性コア４１の輪郭と前記仮想線ＩＬａとがなす角αとなる位置を意味する。位置Ｋｂ２も、上述した位置Ｋｂ１と同様に、図４に示すように、吸収性コア４１の背側部Ｂに仮想線ＩＬｂを描き、前記一側縁から外方側に延在する吸収性コア４１の輪郭と前記仮想線ＩＬｂとがなす角αとなる位置を意味する。このように、吸収性コア４１の前後端部それぞれの角に内方側に凸の括れ部４１ｅａ，４１ｅｂを有していると、吸収性コア４１の前後端角部にブロック領域端部４１１腹側部４１１ａ、背側部４１１ｂが近接するようになるため着用者の身体に柔らかく沿わせることができる。そして、ブロック領域４１１の腹側部４１１ａ及び背側部４１１ｂが、前記位置Ｋａ２，Ｋｂ２をそれぞれ越えて延在しているので、吸収体の全体を柔軟にでき、着用者の身体に柔らかく沿わせることができる。
【００２５】
おむつ１において、ブロック領域４１１の矩形状の腹側部４１１ａは、図４に示すように、縦方向（Ｙ方向）の股間部Ｃ側の端縁が前記位置Ｋａ１を越えて股間部Ｃ側に延在し、縦方向（Ｙ方向）の縦方向（Ｙ方向）外方側（股間部Ｃ側と反対側）の端縁が前記位置Ｋａ２を越えて外方側に延在して、縦方向（Ｙ方向）に長い矩形状に形成されている。また、ブロック領域４１１の矩形状の背側部４１１ｂは、図４に示すように、縦方向（Ｙ方向）の股間部Ｃ側の端縁が前記位置Ｋｂ１を越えて股間部Ｃ側に延在し、縦方向（Ｙ方向）の外方側（股間部Ｃ側と反対側）の端縁が前記位置Ｋｂ２を越えて外方側に延在して、縦方向（Ｙ方向）に長い矩形状に形成されている。ブロック領域４１１の腹側部４１１ａの幅Ｗａ１とブロック領域４１１の背側部４１１ｂの幅Ｗｂ１とは同じであり、ブロック領域４１１の腹側部４１１ａの形状とブロック領域４１１の背側部４１１ｂの形状とが、図４に示すように、吸収性コア４１の横方向（Ｘ方向）に延びる中心線ＣＸに対して対称に形成されている。このように対称に形成することにより、吸収体４の股間部Ｃに排尿された体液を、ブロック領域４１１の股間部４１１ｃからブロック領域４１１の腹側部４１１ａ及び背側部４１１ｂに略均等に分配することができ、その後、腹側部Ａ側の非ブロック領域４１２及び背側部Ｂ側の非ブロック領域４１２でゆっくりと体液を吸収することができるようになるので、吸収性コア４１全体の吸収性が向上する。
【００２６】
おむつ１のブロック構造４００は、図２，図４に示すように、ブロック構造４００の最外周が溝部４４（横溝４４Ｘ，縦溝４４Ｙ）によって囲まれている。おむつ１においては、ブロック領域４１１の腹側部４１１ａ、ブロック領域４１１の股間部４１１ｃ及びブロック領域４１１の背側部４１１ｂは、図２，図４に示すように、それぞれ、ブロック構造４００が縦方向（Ｙ方向）に連続して配されて矩形状に形成されている。その為、ブロック領域４１１の腹側部４１１ａ、ブロック領域４１１の股間部４１１ｃ及びブロック領域４１１の背側部４１１ｂは、それぞれ、４つの角部を有しており、それぞれの最外周も溝部４４（横溝４４Ｘ，縦溝４４Ｙ）によって囲まれている。ブロック領域４１１の腹側部４１１ａ、ブロック領域４１１の股間部４１１ｃ及びブロック領域４１１の背側部４１１ｂそれぞれの最外周を囲む溝部４４（横溝４４Ｘ，縦溝４４Ｙ）の角部、即ち、ブロック領域４１１ａ，４１１ｂ，４１１ｃの４つの前記角部それぞれに位置する溝部４４（横溝４４Ｘ，縦溝４４Ｙ）の交差部は、着用時に吸収性コアがねじれの応力を受けたとしても、該応力が一点に集中し難く、体液吸収後の吸収性コアの形状保持性を高めることができる観点から、丸みを帯びていることが好ましく、外方に向けて凸の曲線を描く丸みを帯びていることがさらに好ましい。
【００２７】
吸収性コア４１は、使い捨ておむつ１に用いられる場合においては、縦方向（Ｙ方向）の全長が２５０ｍｍ以上５５０ｍｍ以下であり、横方向（Ｘ方向）の全幅が５０ｍｍ以上２００ｍｍ以下であることが好ましい。
吸収性コア４１は、腹側部Ａにおける、横方向（Ｘ方向）の全幅が、５０ｍｍ以上、好ましくは７０ｍｍ以上、そして、２００ｍｍ以下、好ましくは１５０ｍｍ以下、より具体的には、５０ｍｍ以上２００ｍｍ以下であることが好ましく、７０ｍｍ以上１５０ｍｍ以下であることが更に好ましい。
吸収性コア４１は、背側部Ｂにおける、横方向（Ｘ方向）の全幅が、５０ｍｍ以上、好ましくは７０ｍｍ以上、そして、２００ｍｍ以下、好ましくは１５０ｍｍ以下、より具体的には、５０ｍｍ以上２００ｍｍ以下であることが好ましく、７０ｍｍ以上１５０ｍｍ以下であることが更に好ましい。
吸収性コア４１は、股間部Ｃにおける、横方向（Ｘ方向）の全幅が、２５ｍｍ以上、好ましくは４０ｍｍ以上、そして、１１５ｍｍ以下、好ましくは８５ｍｍ以下、より具体的には、２５ｍｍ以上１１５ｍｍ以下であることが好ましく、４０ｍｍ以上８５ｍｍ以下であることが更に好ましい。
尚、前記全長は最も長い位置で測定した値であり、前記全幅は、腹側部Ａ及び背側部Ｂにおいては、最も広い位置で測定した値であり、股間部Ｃにおいては、最も狭い位置で測定した値である。
【００２８】
ブロック領域４１１は、使い捨ておむつ１に用いられる場合においては、その縦方向（Ｙ方向）の長さが、吸収性コア４１のＹ方向の全長の、７０％以上、好ましくは８５％以上の長さ、そして、９８％以下、好ましくは９５％以下の長さ、より具体的には、７０％以上９８％以下の長さであることが好ましく、８５％以上９５％以下の長さであることが更に好ましい。
ブロック領域４１１は、使い捨ておむつ１に用いられる場合においては、その横方向（Ｘ方向）の長さが、吸収性コア４１のＸ方向の全幅の、３０％以上、好ましくは５０％以上の長さ、そして、９０％以下、好ましくは７０％以下の長さ、より具体的には、３０％以上９０％以下の長さであることが好ましく、５０％以上７０％以下の長さであることが更に好ましい。
ブロック領域４１１の腹側部４１１ａは、使い捨ておむつ１に用いられる場合においては、その横方向（Ｘ方向）の長さが、吸収性コア４１の腹側部ＡのＸ方向の全幅の、３０％以上、好ましくは５０％以上の長さ、そして、９０％以下、好ましくは７０％以下の長さ、より具体的には、３０％以上９０％以下の長さであることが好ましく、５０％以上７０％以下の長さであることが更に好ましい。
ブロック領域４１１の腹側部４１１ａは、使い捨ておむつ１に用いられる場合においては、その縦方向（Ｙ方向）の長さが、３０ｍｍ以上、好ましくは５０ｍｍ以上、そして、１５０ｍｍ以下、好ましくは１２０ｍｍ以下、より具体的には、３０ｍｍ以上１５０ｍｍ以下であることが好ましく、５０ｍｍ以上１２０ｍｍ以下であることが更に好ましく、その横方向（Ｘ方向）の長さが、４０ｍｍ以上、好ましくは５０ｍｍ以上、そして、１８０ｍｍ以下、好ましくは１３０ｍｍ以下、より具体的には、４０ｍｍ以上１８０ｍｍ以下であることが好ましく、５０ｍｍ以上１３０ｍｍ以下であることが更に好ましい。
ブロック領域４１１の背側部４１１ｂは、使い捨ておむつ１に用いられる場合においては、その横方向（Ｘ方向）の長さが、吸収性コア４１の背側部ＢのＸ方向の全幅の、３０％以上、好ましくは５０％以上の長さ、そして、９０％以下、好ましくは７０％以下の長さ、より具体的には、３０％以上９０％以下の長さであることが好ましく、５０％以上７０％以下の長さであることが更に好ましい。
ブロック領域４１１の背側部４１１ｂは、使い捨ておむつ１に用いられる場合においては、その縦方向（Ｙ方向）の長さが、５０ｍｍ以上、好ましくは７０ｍｍ以上、そして、２００ｍｍ以下、好ましくは１５０ｍｍ以下、より具体的には、５０ｍｍ以上２００ｍｍ以下であることが好ましく、７０ｍｍ以上１５０ｍｍ以下であることが更に好ましく、その横方向（Ｘ方向）の長さが、４０ｍｍ以上、好ましくは５０ｍｍ以上、そして、１８０ｍｍ以下、好ましくは１３０ｍｍ以下、より具体的には、４０ｍｍ以上１８０ｍｍ以下であることが好ましく、５０ｍｍ以上１３０ｍｍ以下であることが更に好ましい。
ブロック領域４１１の股間部４１１ｃは、使い捨ておむつ１に用いられる場合においては、その縦方向（Ｙ方向）の長さが、１００ｍｍ以上、好ましくは１５０ｍｍ以上、そして、２４０ｍｍ以下、好ましくは２２０ｍｍ以下、より具体的には、１００ｍｍ以上２４０ｍｍ以下であることが好ましく、１５０ｍｍ以上２２０ｍｍ以下であることが更に好ましく、その横方向（Ｘ方向）の長さが、２０ｍｍ以上、好ましくは３０ｍｍ以上、そして、１００ｍｍ以下、好ましくは７０ｍｍ以下、より具体的には、２０ｍｍ以上１００ｍｍ以下であることが好ましく、３０ｍｍ以上７０ｍｍ以下であることが更に好ましい。
尚、前記縦方向（Ｙ方向）の長さは、最も長い位置で測定した値であり、前記横方向（Ｘ方向）の長さは、腹側部Ａ及び背側部Ｂにおいては、最も長い位置で測定した値であり、股間部Ｃにおいては、最も短い位置で測定した値である。
【００２９】
また、ブロック領域４１１に関し、吸収性コア４１の腹側部Ａの位置Ｋａ１を越えるブロック領域４１１の腹側部４１１ａの部分の縦方向（Ｙ方向）の長さＬ５は、５ｍｍ以上、好ましくは１０ｍｍ以上、そして、５０ｍｍ以下、好ましくは３０ｍｍ以下、より具体的には、５ｍｍ以上５０ｍｍ以下であることが好ましく、１０ｍｍ以上３０ｍｍ以下であることが更に好ましい。また、吸収性コア４１の背側部Ｂの位置Ｋｂ１を越えるブロック領域４１１の背側部４１１ｂの部分の縦方向（Ｙ方向）の長さＬ６は、２ｍｍ以上、好ましくは５ｍｍ以上、そして、３０ｍｍ以下、好ましくは２０ｍｍ以下、より具体的には、２ｍｍ以上３０ｍｍ以下であることが好ましく、５ｍｍ以上２０ｍｍ以下であることが更に好ましい。
【００３０】
非ブロック領域４１２は、使い捨ておむつ１に用いられる場合においては、縦方向（Ｙ方向）の両端部それぞれの縦方向（Ｙ方向）の長さが、吸収性コア４１のＹ方向の全長の２％以上１０％以下の長さであることが好ましい。具体的に、前記縦方向（Ｙ方向）の長さは、５ｍｍ以上４０ｍｍ以下であることが好ましい。尚、前記縦方向（Ｙ方向）の長さは最も広い位置で測定した値である。
非ブロック領域４１２は、使い捨ておむつ１に用いられる場合においては、縦方向（Ｙ方向）に沿う両側部それぞれの横方向（Ｘ方向）の長さが、腹側部Ａでは、吸収性コア４１の腹側部ＡのＸ方向の全幅の５％以上３０％以下の長さであることが好ましく、股間部Ｃでは、吸収性コア４１の股間部ＣのＸ方向の全幅の５％以上３０％以下の長さであることが好ましく、背側部Ｂでは、吸収性コア４１の背側部ＢのＸ方向の全幅の５％以上３０％以下の長さであることが好ましい。具体的に、非ブロック領域４１２は、腹側部Ａでの横方向（Ｘ方向）の前記長さが１０ｍｍ以上４０ｍｍ以下であることが好ましく、背側部Ｂでの横方向（Ｘ方向）の前記長さが１０ｍｍ以上４０ｍｍ以下であることが好ましく、股間部Ｃでの横方向（Ｘ方向）の前記長さが１０ｍｍ以上３０ｍｍ以下であることが好ましい。尚、腹側部Ａ及び背側部Ｂそれぞれにおける前記横方向（Ｘ方向）の長さは最も広い位置で測定した値であり、股間部Ｃにおける前記横方向（Ｘ方向）の長さは最も狭い位置で測定した値である。
【００３１】
ブロック領域４１１を構成する凸部４３及び溝部４４（横溝４４Ｘ，縦溝４４Ｙ）のサイズ・坪量等について更に詳述する。
凸部４３は、おむつ１においては、図２，図４に示すように、平面視して、縦方向（Ｙ方向）に長い矩形状に形成されている。尚、おむつ１においては、凸部４３を平面視して、矩形状に形成されているが、四隅が円弧状となっていてもよく、多角形状、楕円、それらの組み合わせ等であってもよい。
おむつ１の凸部４３は、吸収性物品が例えば使い捨ておむつに用いられる場合においては、図４に示すように、その縦方向（Ｙ方向）の長さＬ１が、５ｍｍ以上、好ましくは１５ｍｍ以上、そして、３０ｍｍ以下、好ましくは２５ｍｍ以下、より具体的には、５ｍｍ以上３０ｍｍ以下であることが好ましく、１５ｍｍ以上２５ｍｍ以下であることが更に好ましい。また、その横方向（Ｘ方向）の長さＬ２が、３ｍｍ以上、好ましくは５ｍｍ以上、そして、２０ｍｍ以下、好ましくは１５ｍｍ以下、より具体的には、３ｍｍ以上２０ｍｍ以下であることが好ましく、５ｍｍ以上１５ｍｍ以下であることが更に好ましい。尚、長さＬ１，Ｌ２は、最も広い位置で測定した値である。
おむつ１の溝部４４は、吸収性物品が例えば使い捨ておむつに用いられる場合においては、図４に示すように、横方向（Ｘ方向）に延びる線状の横溝４４Ｘの幅Ｌ３が、０．５ｍｍ以上、好ましくは１ｍｍ以上、そして、５ｍｍ以下、好ましくは３ｍｍ以下、より具体的には、０．５ｍｍ以上５ｍｍ以下であることが好ましく、１ｍｍ以上３ｍｍ以下であることが更に好ましい。また、縦方向（Ｙ方向）に延びる線状の縦溝４４Ｙの幅Ｌ４が、０．５ｍｍ以上、好ましくは１ｍｍ以上、そして、５ｍｍ以下、好ましくは３ｍｍ以下、より具体的には、０．５ｍｍ以上５ｍｍ以下であることが好ましく、１ｍｍ以上３ｍｍ以下であることが更に好ましい。尚、幅Ｌ３，Ｌ４は、吸収性コア４１の凹凸構造における凹部の底部の位置での測定値である。
【００３２】
横溝４４Ｘと縦溝４４Ｙとは、同じ厚みで形成されており、溝部４４（横溝４４Ｘ，縦溝４４Ｙ）の厚みは、凸部４３の厚みの３０％以上９０％以下であることが好ましい。具体的には、溝部４４（横溝４４Ｘ，縦溝４４Ｙ）の厚みは、１．５ｍｍ以上、好ましくは２．５ｍｍ以上、そして、４．５ｍｍ以下、好ましくは４．０ｍｍ以下、より具体的には、１．５ｍｍ以上４．５ｍｍ以下であることが好ましく、２．５ｍｍ以上４．０ｍｍ以下であることが更に好ましい。凸部４３の厚みは、２ｍｍ以上、好ましくは３ｍｍ以上、そして、８ｍｍ以下、好ましくは７ｍｍ以下、より具体的には、２ｍｍ以上８ｍｍ以下であることが好ましく、３ｍｍ以上７ｍｍ以下であることが更に好ましい。非ブロック領域４１２の厚みは、凸部４３の厚みと同様である。
尚、凸部４３、溝部４４（横溝４４Ｘ，縦溝４４Ｙ）及び非ブロック領域４１２の厚みは、所定のサイズにサンプルをカットし、５ｋＰａで測定部位を１０分間加圧し、除重後すぐに測定を行う。測定箇所は、１枚辺り腹側部、股間部、背側部の任意それぞれ１点以上を含む３点以上とし、おむつサンプル２枚（測定箇所６点以上）の平均で厚みを出す。例えばおむつ１を、鋭利なかみそりで、図２に示す縦方向（Ｙ方向）、又は横方向（Ｘ方向）に切断し、この切断されたサンプルの断面を測定する。肉眼にて測定し難い場合には、前記切断されたサンプルの断面を、例えば、マイクロスコープ（ＫＥＹＥＮＣＥ社製ＶＨＸ−１０００）を用いて２０〜１００倍の倍率で観察し、測定してもよい。
【００３３】
溝部４４（横溝４４Ｘ，縦溝４４Ｙ）は、吸収性物品が例えば使い捨ておむつに用いられる場合においては、柔軟性と吸収性を向上する観点から、その坪量が、凸部４３の坪量の、３０％以上、好ましくは４０％以上、そして、９０％以下、好ましくは８０％以下、より具体的には、３０％以上９０％以下であることが好ましく、４０％以上８０％以下であることが更に好ましい。
具体的には、溝部４４（横溝４４Ｘ，縦溝４４Ｙ）は、その坪量が、１００ｇ／ｍ2以上、好ましくは１５０ｇ／ｍ2以上、そして、５００ｇ／ｍ2以下、好ましくは３００ｇ／ｍ2以下、より具体的には、１００ｇ／ｍ2以上５００ｇ／ｍ2以下であることが好ましく、１５０ｇ／ｍ2以上３００ｇ／ｍ2以下であることが更に好ましい。また、凸部４３は、その坪量が、４７０ｇ／ｍ2以上、好ましくは３５０ｇ／ｍ2以上、そして、９００ｇ／ｍ2以下、好ましくは８００ｇ／ｍ2以下、より具体的には、４７０ｇ／ｍ2以上９００ｇ／ｍ2以下であることが好ましく、３５０ｇ／ｍ2以上８００ｇ／ｍ2以下であることが更に好ましい。非ブロック領域４１２の坪量は、凸部４３の坪量と同様である。
凸部４３及び溝部４４（横溝４４Ｘ，縦溝４４Ｙ）の坪量は次のようにして測定される。
【００３４】
＜坪量の測定方法＞
凸部４３、溝部４４（横溝４４Ｘ，縦溝４４Ｙ）及び非ブロック領域４１２の坪量の測定方法は以下の通りである。
吸収性コア４１における凸部４３と溝部４４（横溝４４Ｘ，縦溝４４Ｙ）の境界線に沿ってフェザー社製片刃剃刀を用いて切断する。切断して得られた凸部４３の小片１０個をそれぞれ電子天秤(Ａ＆Ｄ社製電子天秤ＧＲ−３００、精度：小数点以下４桁)を用いて測定し、凸部４３の小片１個の平均重量を求める。求めた平均重量を凸部４３の小片１個当りの平均面積で除して凸部４３の坪量を算出する。非ブロック領域４１２の坪量も凸部４３の坪量と同様にして算出する。
次いで、凸部４３と溝部４４（縦溝４４Ｙ）の縦方向（Ｙ方向）に延びた境界線に沿って、長さ１００ｍｍ、幅は溝部４４（縦溝４４Ｙ）の幅の設計寸法に合わせて、フェザー社製片刃剃刀を用いて、細いストライプ状の溝部４４（縦溝４４Ｙ）の小片５個を切り出す。得られた小片５個をそれぞれ電子天秤(Ａ＆Ｄ社製電子天秤ＧＲ−３００、精度：小数点以下４桁)を用いて測定し、平均して溝部４４（縦溝４４Ｙ）の小片１個の平均重量を求める。求めた平均重量を溝部４４（縦溝４４Ｙ）の小片１個当たりの平均面積で除して溝部４４（縦溝４４Ｙ）の坪量を算出する。溝部４４（横溝４４Ｘ）についても、溝部４４（縦溝４４Ｙ）と同様にして坪量を算出する。
【００３５】
おむつ１の吸収性コア４１においては、凸部４３及び非ブロック領域４１２は、溝部４４（横溝４４Ｘ，縦溝４４Ｙ）に比して同じか、あるいは高密度に形成されている。
溝部４４（横溝４４Ｘ，縦溝４４Ｙ）は、吸収性物品が例えば使い捨ておむつに用いられる場合においては、液拡散性を向上させる観点から、その密度が、凸部４３の密度の、５０％以上、好ましくは７５％以上、そして、１００％以下、好ましくは９５％以下、より具体的には、５０％以上１００％以下であることが好ましく、７５％以上９５％以下であることが更に好ましい。
具体的には、溝部４４（横溝４４Ｘ，縦溝４４Ｙ）は、その密度が、０．０５ｇ／ｃｍ3以上、好ましくは０．０７ｇ／ｃｍ3以上、そして、０．１５ｇ／ｃｍ3以下、好ましくは０．１３ｇ／ｃｍ3以下、より具体的には、０．０５ｇ／ｃｍ3以上０．１５ｇ／ｃｍ3以下であることが好ましく、０．０７ｇ／ｃｍ3以上０．１３ｇ／ｃｍ3以下であることが更に好ましい。また、凸部４３は、その密度が、０．０５ｇ／ｃｍ3以上、好ましくは０．０７ｇ／ｃｍ3以上、そして、０．１５ｇ／ｃｍ3以下、好ましくは０．１３ｇ／ｃｍ3以下、より具体的には、０．０５ｇ／ｃｍ3以上０．１５ｇ／ｃｍ3以下であることが好ましく、０．０７ｇ／ｃｍ3以上０．１３ｇ／ｃｍ3以下であることが更に好ましい。非ブロック領域４１２の密度は、凸部４３の密度と同様である。
凸部４３、非ブロック領域４１２及び溝部４４（横溝４４Ｘ，縦溝４４Ｙ）の密度は、上述した方法により求めた凸部４３、非ブロック領域４１２及び低密度部４４の坪量を、上述した方法により求めたそれぞれの厚みで除して算出される。
【００３６】
上述したように、図３に示すように、吸収性コア４１の凸部４３及び溝部４４（横溝４４Ｘ，縦溝４４Ｙ）は一体成形されており、非ブロック領域４１２も凸部４３及び溝部４４（横溝４４Ｘ，縦溝４４Ｙ）と一体成形されている。ここで「一体成形されている」とは、凸部４３、溝部４４（横溝４４Ｘ，縦溝４４Ｙ）及び非ブロック領域４１２が、接着剤や熱融着等の接合手段を介さずに互いに分離不可能に一体化されており、同一の材料から一体的に形成されていることを意味する。このように凸部４３、溝部４４（横溝４４Ｘ，縦溝４４Ｙ）及び非ブロック領域４１２が一体成形されていると、体液がスムーズに移動し得る連続性を有するようになる。このような吸収体４の製造方法については後で説明する。
【００３７】
また、吸収性コア４１の凹凸のあるブロック構造４００における表面シート２側に凹んだ凹部（溝）は、主として溝部４４（横溝４４Ｘ，縦溝４４Ｙ）により形成されており、吸収性コア４１のブロック構造４００における裏面シート３側に突出する凸部は、主として凸部４３及び非ブロック領域４１２により形成されている。ここで、「凹部は、主として溝部４４により形成される」とは、例えば溝部４４と凸部４３との境界付近の凸部４３が該凹部の一部を形成している場合を含む意味であり、同様に、「凸部は、主として凸部４３及び非ブロック領域４１２により形成される」とは、例えば凸部４３と溝部４４との境界付近の溝部４４が該凸部の一部を形成している場合を含む意味である。
【００３８】
また、おむつ１の吸収性コア４１は、溝部４４が、図３に示すように、おむつ１の厚み方向Ｔにおいて、表面シート２側（吸収体４の肌対向面側）に偏在している。おむつ１の吸収性コア４１は、図３に示すように、吸収性コア４１の非肌対向面側が凹凸のあるブロック構造４００となり、吸収性コア４１の肌対向面側が平坦となっている。
【００３９】
おむつ１においては、吸収性コア４１と吸収性コア４１を包む被覆材４２とは接着剤５を介して固定されている。このように固定された吸収体４は、表面シート２及び裏面シート３それぞれと接着剤を介して固定されている。特に、おむつ１においては、図３に示すように、被覆材４２と吸収性コア４１の非肌対向面４１Ｕとが接着剤５により固定されており、被覆材４２と吸収性コア４１の肌対向面４１Ｔとが接着剤５により固定されており、被覆材４２における吸収性コア４１の縦方向（Ｙ方向）に沿う側縁４１ｙよりも幅方向（Ｘ方向）外方の被覆材側部４２ｓは、被覆材側部４２ｓどうしが接着剤５を介して固定されている。このように被覆材側部４２ｓどうしが接着剤５を介して固定されていると、吸収性コア４１の側部からの体液の漏れを防止することができ、吸収性コア４１の湿潤強度が高められ壊れの防止性を向上することができる。接着剤５は、おむつ１の横方向（Ｘ方向）に間欠的に且つ縦方向（Ｙ方向）に一直線状に塗工されている。尚、おむつ１においては、図３に示すように、１枚の被覆材４２の両側部を折り返して被覆材４２の側縁部どうしを重ねるようにして吸収性コア４１を包んでいるが、別々の２枚の被覆材を用いて吸収性コア４１を包んでいてもよい。
【００４０】
接着剤５は、おむつ１においては、例えばビードガンを用いて横方向（Ｘ方向）に間欠的に且つ縦方向（Ｙ方向）に一直線状に塗工されており、全体視してストライプ状に塗工されている。横方向（Ｘ方向）に隣り合う接着剤５どうしの間隔は、０．５ｍｍ以上１５ｍｍ以下であることが好ましい。接着剤５の塗工の坪量（塗工量）は、０．５ｇ／ｍ2以上、好ましくは１ｇ／ｍ2以上、そして、１５ｇ／ｍ2以下、好ましくは１０ｇ／ｍ2以下、より具体的には、０．５ｇ／ｍ2以上１５ｇ／ｍ2以下であることが好ましく、１ｇ／ｍ2以上１０ｇ／ｍ2以下であることが更に好ましい。
接着剤の密度（塗工量）は、以下の方法により測定する。
【００４１】
また、おむつ１においては、図３に示すように、吸収性コア４１の溝部４４（横溝４４Ｘ，縦溝４４Ｙ）と被覆材４２との間には空間９が形成されている。即ち、吸収体４には、吸収性コア４１の凹凸のあるブロック構造４００と吸収性コア４１を包む被覆材４２とにより形成される空間９が形成されている。上述したように、おむつ１においては、図２，図３に示すように、溝部４４（横溝４４Ｘ，縦溝４４Ｙ）が吸収性コア４１の裏面シート３（非肌対向面）側に全体として格子状に形成され、格子の目の位置に凸部４３が配されており、溝部４４（横溝４４Ｘ，縦溝４４Ｙ）が凸部４３を取り囲むように形成されている。従って、おむつ１においては、図２，図３に示すように、表面シート２側に凹んだ横溝４４Ｘと被覆材４２により形成される複数の空間９Ｘが、横溝４４Ｘに対応して横方向（Ｘ方向）にそれぞれ連続的に延びており、表面シート２側に凹んだ縦溝４４Ｙと被覆材４２により形成される複数の空間９Ｙが、縦溝４４Ｙに対応して縦方向（Ｙ方向）にそれぞれ連続的に延びている。
【００４２】
次に、おむつ１の備える吸収体４、即ち、凸部４３（高密度）、非ブロック領域４１２（高密度）及び溝部４４（低密度）（横溝４４Ｘ，縦溝４４Ｙ）が一体成形された吸収性コア４１を備える吸収体４の製造方法を説明する。
図５には、吸収体４の製造方法の一実施態様及びそれに用いる製造装置が示されている。吸収体４の製造装置は、矢印Ｒ１方向に回転駆動される回転ドラム５０と、回転ドラム５０の外周面に吸収性コア４１の原料である吸収ポリマーを含む吸収性材料４５を供給するダクト６０と、回転ドラム５０の下流側の斜め下方に配置され、矢印Ｒ２方向に回転駆動されるトランスファーロール７０と、回転ドラム５０の周方向におけるダクト６０とトランスファーロール７０との間に配置されたバキュームボックス６５と、バキュームボックス６５と回転ドラム５０との間及びトランスファーロール７０と回転ドラム５０との間を通るように配された、シート状の通気性部材であるメッシュベルト７５と、トランスファーロール７０の下方に配されたバキュームコンベア８０とを備えている。
【００４３】
回転ドラム５０は、図５に示すように、円筒状をなし、モータ等の原動機からの動力を受けて、その外周面を形成する部材が水平軸回りを回転する。回転ドラム５０の内側（回転軸側）の非回転部分には内部を減圧可能な空間５６が形成されている。空間５６には、吸気ファン等の公知の排気装置（図示せず）が接続されており、該排気装置を作動させることにより、空間５６内を負圧に維持可能である。他方、回転ドラム５０の内側（回転軸側）の空間５７及び５８には、装置外の空気を取り込み可能な配管（図示せず）が接続されている。
【００４４】
図５に示すように、回転ドラム５０の外周面には、製造する吸収性コア４１の形状に対応する形状のドラム凹部５１が複数個、Ｒ１方向に等間隔を空けて形成されている。各ドラム凹部５１の底面部には、図６に示すように、多数の細孔が形成されたメッシュプレート５２と、金属製又は樹脂製の難通気性部材５３とが配されている。ここで、難通気性部材５３は、メッシュプレート５２上に突出するように設けられており、上述した溝部４４（横溝４４Ｘ，縦溝４４Ｙ）の形状及び位置に対応するように配されている。図６に示すように、このように配された難通気性部材５３により区画されたメッシュプレート５２のみからなる領域５４が、凸部４３に対応する部分となり、難通気性部材５３により区画された部分の外周全域におけるメッシュプレート５２のみからなる領域５５が、非ブロック領域４１２に対応する部分となる。また、ドラム凹部５１が形成されていない、回転ドラム５０の外周面の部分は、金属製の剛体からなる回転ドラム５０のフレーム体からなり、非通気性である。
【００４５】
ダクト６０は、図５に示すように、その一端側が、負圧に維持される空間５６上に位置する回転ドラム５０の外周面を覆っており、図示しない他端側には、繊維材料導入装置を有している。繊維材料導入装置は、例えば、シート状の木材パルプを粉砕して解繊パルプとし、その解繊したパルプ（繊維材料）をダクト内に送り込む粉砕器を備え、ダクト６０の途中に吸収ポリマーを導入する吸収ポリマー導入部を備えている。
【００４６】
トランスファーロール７０は、通気性を有する円筒状の外周部を有しており、モータ等の原動機からの動力を受けて、その外周部がＲ２方向に回転する。トランスファーロール７０の内側（回転軸側）の非回転部分には、内部を減圧可能な空間７１が形成されている。空間７１には、吸気ファン等の公知の排気装置（図示せず）が接続されており、該排気装置を作動させることにより、空間７１内を負圧に維持可能である。
【００４７】
バキュームボックス６５は、回転ドラム５０の回転方向Ｒ１において、ダクト６０の下流側端部６０１と、トランスファーロール７０との間に配置されている。バキュームボックス６５は、箱状の形状を有し、回転ドラム５０に対向する部位に、回転ドラム５０方向に向かって開口する開口部を有している。バキュームボックス６５は、排気管６７を介して、吸気ファン等の公知の排気装置（図示せず）が接続されており、該排気装置の作動により、バキュームボックス６５内を負圧に維持可能である。
【００４８】
メッシュベルト７５は、網目を有する帯状の通気性ベルトが無端状に連結されたものであり、複数のフリーロール及びトランスファーロール７０に案内されて所定の経路を連続的に移動する。メッシュベルト７５は、トランスファーロール７０の回転によって駆動される。メッシュベルト７５は、バキュームボックス６５の前記開口部の前を通過している間は、回転ドラム５０の外周面に接触しており、トランスファーロール７０と回転ドラム５０とが最も接近している最接近部付近で、回転ドラム５０の外周面から離れてトランスファーロール７０上へと移行する。
【００４９】
バキュームコンベア８０は、駆動ロール８１及び従動ロール８２に架け渡された無端状の通気性ベルト８３と、通気性ベルト８３を挟んでトランスファーロール７０と対向する位置に配されたバキュームボックス８４とを備えている。
【００５０】
次に、上述した吸収体の製造装置を用いて吸収体４（吸収性コア４１）を連続的に製造する方法について説明する。
先ず、回転ドラム５０内の空間５６、及びバキュームボックス６５内を、それぞれに接続された排気装置を作動させて負圧にする。このように、空間５６内を負圧にすることで、ダクト６０内に、吸収性材料４５を回転ドラム５０の外周面に搬送させる空気流が生じるからである。次に、回転ドラム５０及びトランスファーロール７０を回転させ、また、バキュームコンベア８０を作動させる。そして、前記繊維材料導入装置を作動させて、ダクト６０内に、解繊したパルプ（繊維材料）及び吸収ポリマーを供給する。これらの吸収性材料４５は、ダクト６０内を流れる空気流に乗り、飛散状態となって回転ドラム５０の外周面に向けて供給される。
【００５１】
ダクト６０に覆われた部分を搬送されている間に、回転ドラム５０のドラム凹部５１に、吸収性材料４５が吸引される。吸収性材料４５は、図７に示すように、ドラム凹部５１の各領域５４及び領域５５のメッシュプレート５２上に徐々に堆積する。こうして得られた堆積物４６においては、難通気性部材５３上に吸収性材料４５が堆積してなる部位（難通気性部材５３対応部）４６ａが、相対的に吸収性材料４５の堆積量が少なく、その他の部位（領域５４対応部）４６ｂ及び部位（領域５５対応部）４６ｃが、相対的に吸収性材料４５の堆積量が多くなっており、堆積物４６全体として凹凸のあるブロック構造を有するようになる。
【００５２】
そして、回転ドラム５０が回転して、ドラム凹部５１がバキュームボックス６５の対向位置にくると、ドラム凹部５１内の堆積物４６がバキュームボックス６５からの吸引によって、メッシュベルト７５に吸い付けられた状態となる。ドラム凹部５１内の堆積物４６は、その状態で、トランスファーロール７０と回転ドラム５０との最接近部の直前まで搬送され、該最接近部付近で、トランスファーロール７０側からの吸引により、メッシュベルト７５に吸い付けられた状態のままドラム凹部５１より離型し、トランスファーロール７０上へと移行する。
【００５３】
こうして、メッシュベルト７５と共にトランスファーロール７０上に移行したブロック構造を有する堆積物４６は、トランスファーロール７０上のメッシュベルト７５に吸着されたまま、バキュームコンベア８０との受け渡し部（トランスファーロール７０の最下端部）まで搬送され、該受け渡し部において、バキュームボックス８４による吸引によりバキュームコンベア８０上へと移行する。
【００５４】
本実施形態の吸収体の製造装置においては、図５に示すように、堆積物４６が載置される前のバキュームコンベア８０上に、ティッシュペーパーや親水性の不織布からなる被覆材４２が導入され、被覆材４２上に堆積物４６が移行する。そして、更に、折り返し板（図示せず）により被覆材４２が折られて堆積物４６を被覆材４２で包んだ後、被覆材４２で包まれた状態の堆積物４６を所定の間隔で切断して、吸収体１個分の寸法に切断された吸収体前駆体４９を連続的に製造する。
【００５５】
そして、本実施形態の吸収体の製造装置においては、こうして得られた吸収体前駆体４９を加圧手段９０によって圧縮し、吸収体前駆体４９を構成する堆積物４６の厚みを積極的に減少させて、目的とする吸収体４（吸収性コア４１）を得る。加圧手段９０は、図５に示すように、少なくとも一方の表面が平滑な一対のロール９１，９２を備え、ロール９１，９２間に導入された被加圧物を上下面から加圧して厚み方向に圧縮可能に構成されている。
【００５６】
加圧手段９０によって堆積物４６を圧縮すると、吸収性材料が相対的に多く厚みの大きい部位（領域５４対応部）４６ｂ及び部位（領域５５対応部）４６ｃは、吸収性材料４５が相対的に少なく厚みの小さい部位（難通気性部材５３対応部）４６ａよりも強く圧縮される。その結果、上述した製造装置を用いて製造された吸収体４（吸収性コア４１）においては、堆積物４６における部位（領域５４対応部）４６ｂ（凸部）及び部位（領域５５対応部）４６ｃが、吸収性コア４１において相対的に密度の高い凸部４３及び非ブロック領域４１２となり、堆積物４６における部位（難通気性部材５３対応部）４６ａ（凹部）が、吸収性コア４１において相対的に密度の低い溝部４４（横溝４４Ｘ，縦溝４４Ｙ）となる。
【００５７】
本実施形態の使い捨ておむつ１の形成材料について説明する。
表面シート２、裏面シート３、立体ギャザー形成用シート６２としては、通常、使い捨ておむつ等の吸収性物品に用いられるものであれば、特に制限なく用いることができる。例えば、表面シート２としては、液透過性の不織布や、開孔フィルム、これらの積層体等を用いることができる。裏面シート３としては、樹脂フィルムや樹脂フィルムと不織布の積層体等を用いることができる。立体ギャザー形成用シート６２としては、伸縮性のフィルム、不織布、織物またはそれらの積層シート等を用いることができる。
ファスニングテープ７としては、通常、使い捨ておむつ等の吸収性物品に用いられるものであれば、特に制限なく用いることができる。例えば、「マジックテープ（登録商標）」（クラレ社製）、「クイックロン（登録商標）」（ＹＫＫ社製）、「マジクロス（登録商標）」（カネボウベルタッチ社製）等におけるオス部材等を用いることができる。
【００５８】
吸収体４を構成する吸収性コア４１としては、パルプ繊維等の繊維の集合体に吸収ポリマーの粒子を保持させたもの等を用いることができる。吸収体４を構成する被覆材４２としては、親水性シート、例えば、透水性の薄紙（ティッシュペーパー）や透水性の不織布からなるコアラップシート等を用いることができる。
立体ギャザー形成用の弾性部材６１、レッグ弾性部材６３及びウエスト部弾性部材６４としては、天然ゴム、ポリウレタン、ポリスチレン−ポリイソプレン共重合体、ポリスチレン−ポリブタジエン共重合体、アクリル酸エチル−エチレン等のポリエチレン−αオレフィン共重合体等からなる糸状の伸縮性材料を用いることができる。
【００５９】
接着剤５としては、通常、使い捨ておむつ等の吸収性物品に用いられるものであれば、特に制限なく用いることができ、例えば、ホットメルト接着剤を用いることができる。ホットメルト接着剤としては、例えばスチレン−イソプレン−スチレンブロック共重合体（ＳＩＳ）、スチレン−ブタジエン−スチレンブロック共重合体（ＳＢＳ）、スチレン−エチレン−ブチレン−スチレン共重合体（ＳＥＢＳ）等のブロックコポリマー系のホットメルト接着剤が挙げられる。
【００６０】
上述した本発明の本実施形態の使い捨ておむつ１を使用した際の作用効果について説明する。
おむつ１は、図２，図４に示すように、相対的に坪量の高い凸部４３と相対的に坪量の低い溝部４４とからなるブロック領域４１１を有している。そのため、柔軟であり、着用者の身体の形状に沿い易くフィット性が向上する。また、溝部４４を排尿後の体液が流れることで拡散性が向上し、吸収性コア４１の吸収性を向上することができる。また、おむつ１は、図２，図４に示すように、ブロック領域４１１の外周を囲む非ブロック領域４１２有しているので、股間部Ｃで受けた尿などの液体を迅速に前後（腹側部Ａおよび背側部Ｂ）に振り分けた後、ゆっくりと体液を吸収することができ、繰り返して排尿があった後にも吸収性コア４１の吸収性を向上することができ、吸収性コア４１からの体液漏れを防止することができる。このように、おむつ１は、ブロック領域４１１を有する吸収性コア４１を備えているので、使用中の体液の吸収性が向上し、吸収体全体の柔軟性が向上している。
【００６１】
また、おむつ１は、図２，図４に示すように、吸収性コア４１の股間部Ｃが内方に括れており、さらに、吸収性コア４１を構成するブロック領域４１１の股間部Ｃも内方に括れている。その為、吸収体４の股間部Ｃに排尿された体液を、ブロック領域４１１の股間部４１１ｃからブロック領域４１１の腹側部４１１ａ及び背側部４１１ｂに分散することができ、その後、腹側部Ａ側の非ブロック領域４１２及び背側部Ｂ側の非ブロック領域４１２でゆっくりと体液を吸収することができるようになるので、吸収性コア４１全体の吸収性が向上する。また、おむつ１は、図２，図４に示すように、ブロック領域４１１の腹側部４１１ａは、吸収性コア４１の腹側部Ａの幅が狭まり始める位置Ｋａ１を越えて、股間部Ｃ側に延在しているので、着用時に吸収性コアがねじれの応力を受けたとしても、股間部Ｃがねじれて腹側部Ａがねじれないために応力が股間部Ｃ側の位置Ｋａ１に集中しやすく、その位置からブロック領域４１１の腹側部４１１ａの股間部側の端部がずれているために応力が伝達され難く、体液吸収後の吸収体の形状保持性を高めることができる。さらに吸収性コア４１の腹側部Ａの幅が狭まり始める位置Ｋａ１を越えて、股間部Ｃ側に延在しているのでブロック領域４１１を多く配置することができ充分に吸収性コア４１を柔軟化することができる。
【００６２】
特に、おむつ１は、ブロック領域４１１の腹側部４１１ａのみならず背側部４１１ｂも、吸収性コア４１の背側部Ｂの幅が狭まり始める位置Ｋｂ１を越えて、股間部Ｃ側に延在している。その為、着用時に吸収性コアがねじれの応力を受けたとしても、上記理由と同様に応力が伝達され難く、更に体液吸収後の吸収体４の形状保持性を高めることができ、吸収性コア４１を柔軟化することができる。
【００６３】
本発明の吸収性物品は、上述の本実施形態の使い捨ておむつ１に何ら制限されるものではなく、適宜変更可能である。
【００６４】
例えば、上述のおむつ１においては、図２，図４に示すように、複数のブロック構造４００が、腹側部Ａから背側部Ｂに亘って縦方向（Ｙ方向）に連続して配されてブロック領域４１１を形成しているが、連続して配されていなくてもよい。同様に、腹側のブロック領域４１１ａ、股間のブロック領域４１１ｃ及び背側のブロック領域４１１ｂも、連続して配されていなくてもよい。また、上述のおむつ１の備える吸収体４の吸収性コア４１の代わりに、以下の吸収性コア４１Ａを備えていてもよい。図８に示す吸収性コア４１Ａに関し、特に説明しない点については、上述のおむつ１の備える吸収性コア４１に関して詳述した説明が適宜適用される。また、図８において、図４と同じ部材には同じ符号を付してある。
【００６５】
図８に示す吸収性コア４１Ａは、ブロック領域４１１の形状が異なる以外、おむつ１の吸収性コア４１と同様である。吸収性コア４１Ａにおいては、図８に示すように、ブロック領域４１１の背側部４１１ｂは、縦溝４４Ｙ及び横溝４４Ｘで区画された凸部４３が規則的に横方向（Ｘ方向）に４個配されたブロック構造が、規則的に縦方向（Ｙ方向）に４行配されて形成されている。また、図８に示すように、ブロック領域４１１の股間部４１１ｃは、凸部４３が規則的に横方向（Ｘ方向）に３個配されたブロック構造が、規則的に縦方向（Ｙ方向）に７行配されて形成されている。また、図８に示すように、ブロック領域４１１の腹側部４１１ａは、縦溝４４Ｙ及び横溝４４Ｘで区画された凸部４３が規則的に横方向（Ｘ方向）に４個配されたブロック構造が、規則的に縦方向（Ｙ方向）に４行配されて形成されている。吸収性コア４１Ａのブロック領域４１１においては、図８に示すように、何れの縦溝４４Ｙも、腹側部Ａから背側部Ｂに亘って直線状に配されていない。
【００６６】
また、上述のおむつ１においては、吸収性コア４１は、図３に示すように、非肌対向面側が凹凸構造となり肌対向面側が平坦となっているが、肌対向面側が凹凸構造となり非肌対向面側が平坦となっていてもよい。
【００６７】
また、上述のおむつ１においては、図２，図４に示すように、ブロック領域４１１の腹側部４１１ａのみならず、ブロック領域４１１の背側部４１１ｂも、吸収性コア４１の背側部Ｂの位置Ｋｂ１を越えて股間部Ｃ側に延在しているが、延在していなくてもよい。従って、ブロック領域４１１の腹側部４１１ａの形状とブロック領域４１１の背側部４１１ｂの形状とが中心線ＣＸに対して対称に形成されていなくてもよい。
【００６８】
また、上述のおむつ１においては、図２，図４に示すように、吸収性コア４１の縦方向（Ｙ方向）の前後端部それぞれの角に括れ部４１ｅａ，４１ｅｂを有しているが、有していなくてもよい。
【００６９】
また、上述のおむつ１においては、図２，図４に示すように、吸収体４を構成する吸収性コア４１の溝部４４が、横方向（Ｘ方向）に延びる線状の横溝４４Ｘと、縦方向（Ｙ方向）に延びる線状の縦溝４４Ｙとにより、全体として格子状に形成されているが、該格子状の形状に限定されるものではない。
【００７０】
また、上述のおむつ１は、図２に示すように、展開型の使い捨ておむつであるが、パンツ型の使い捨ておむつでもよい。
【００７１】
上述した実施形態に関し、さらに以下の吸収性物品を開示する。
＜１＞肌対向面側に配された表面シートと、非肌対向面側に配された裏面シートと、これら両シート間に配された縦長の吸収体とを備えた吸収性物品であって、
前記吸収体は、吸収ポリマーを含む股間部の括れた吸収性コアを有し、
前記吸収性コアは、相対的に坪量が高い凸状の複数の凸部及び各該凸部を囲む相対的に坪量が低い溝部からなるブロック構造が腹側部から背側部に亘って縦方向に複数配されたブロック領域と、該ブロック領域の外周を囲む非ブロック領域とを有しており、
前記ブロック領域は、該ブロック領域の腹側部及び背側部それぞれの幅が、該ブロック領域の股間部の幅よりも大きく形成されており、
前記ブロック領域の腹側部は、前記吸収性コアの腹側部の幅が狭まり始める股間部側の位置を越えて、股間部側に延在している吸収性物品。
【００７２】
＜２＞前記ブロック領域の背側部は、前記吸収性コアの背側部の幅が狭まり始める股間部側の位置を越えて、股間部側に延在している前記＜１＞記載の吸収性物品。
＜３＞
前記ブロック領域の腹側部の形状と前記ブロック領域の背側部の形状とが、前記吸収性コアの横方向に延びる中心線に対して対称に形成されている前記＜１＞又は＜２＞記載の吸収性物品。
＜４＞前記吸収性コアの腹側部の前記位置を越える前記ブロック領域の腹側部の部分の縦方向の長さは、前記吸収性コアの背側部の前記位置を越える前記ブロック領域の背側部の部分の縦方向の長さよりも長い前記＜２＞又は＜３＞記載の吸収性物品
＜５＞前記吸収性コアは、縦方向の前後端部それぞれの角に内方側に凸の括れ部を有しており、前記ブロック領域の腹側部及び背側部は、それぞれ、前記吸収性コアの腹側部又は背側部の幅が狭まり始める外方側の位置を越えて、外方側に延在している前記＜１＞〜＜４＞の何れか１記載の吸収性物品。
＜６＞前記ブロック領域の最外周を囲む前記溝部の角部が丸みを帯びている前記＜１＞〜＜５＞の何れか１記載の吸収性物品。
＜７＞前記吸収性コアは、腹側部の左右両側縁及び背側部の左右両側縁それぞれが股間部の左右両側縁よりも横方向外方に延出しており、前記吸収性物品は、股間部の左右両側縁が横方向内方に向かって円弧状に湾曲しており、全体として縦方向中央部である股間部が内方に括れた形状を有している前記＜１＞〜＜６＞の何れか１記載の吸収性物品。
＜８＞前記ブロック領域は、その縦方向の長さが、前記吸収性コアの縦方向の全長の７０％以上９８％以下の長さであるか、又は８５％以上９５％以下の長さであり、
該ブロック領域は、その横方向の長さが、該吸収性コアの横方向の全幅の３０％以上９０％以下の長さであるか、又は５０％以上７０％以下の長さであり、
該ブロック領域の腹側部は、その横方向の長さが、該吸収性コアの腹側部の横方向の全幅の３０％以上９０％以下の長さであるか、又は５０％以上７０％以下の長さであり、
該ブロック領域の背側部は、その横方向の長さが、該吸収性コアの背側部の横方向の全幅の３０％以上９０％以下の長さであるか、又は５０％以上７０％以下の長さである前記＜１＞〜＜７＞の何れか１記載の吸収性物品。
＜９＞前記非ブロック領域は、縦方向に沿う両側部それぞれの横方向の長さが、腹側部では、前記吸収性コアの腹側部の横方向の全幅の５％以上３０％以下の長さであり、股間部では、該吸収性コアの股間部の横方向の全幅の５％以上３０％以下の長さであり、背側部では、該吸収性コアの背側部の横方向の全幅の５％以上３０％以下の長さである前記＜１＞〜＜８＞の何れか１記載の吸収性物品。
＜１０＞前記溝部は縦方向に延びる縦溝と横方向に延びる横溝とからなり、該横溝と該縦溝とは、同じ厚みで形成されており、該溝部の厚みは、前記凸部の厚みの３０％以上９０％以下である前記＜１＞〜＜９＞の何れか１記載の吸収性物品。
【００７３】
＜１１＞前記溝部は、その坪量が、前記凸部の坪量の３０％以上９０％以下であるか、又は４０％以上８０％以下である前記＜１＞〜＜１０＞の何れか１記載の吸収性物品。
＜１２＞前記溝部は、その密度が、前記凸部４３の密度の５０％以上１００％以下であるか、又は７５％以上９５％以下である前記＜１＞〜＜１１＞の何れか１記載の吸収性物品。
＜１３＞前記吸収性物品は、腹側部の左右両側縁及び背側部の左右両側縁それぞれが股間部の左右両側縁よりも横方向外方に延出しており、股間部の左右両側縁が横方向内方に向かって円弧状に湾曲しており、全体として縦方向中央部が内方に括れた形状を有している前記＜１＞〜＜１２＞の何れか１記載の吸収性物品。
＜１４＞前記表面シート及び前記裏面シート３は、それぞれ、前記吸収体の左右両側縁及び前後両端縁から外方に延出しており、該表面シートは、その横方向の寸法が、該裏面シートの横方向の寸法より小さくなっており、該表面シート及び該裏面シートはそれぞれ、該吸収体の周縁から外方に延出した延出部において直接的に又は他の部材を介在させて互いに接合されており、該吸収体を挟持・固定している前記＜１＞〜＜１３＞の何れか１記載の吸収性物品。
＜１５＞前記吸収性物品の縦方向に沿う両側部それぞれには、縦方向に伸長状態で固定された弾性部材を有する立体ギャザー形成用シートが、前記表面シートの側部に配され固定されており、これによって一対の立体ギャザーが形成される前記＜１＞〜＜１４＞の何れか１記載の吸収性物品。
＜１６＞前記吸収性物品の縦方向に沿う両側部それぞれには、レッグギャザー形成用の複数本のレッグ弾性部材が縦方向に伸長状態に配されており、該レッグ弾性部材の収縮によりレッグギャザーが形成され、該吸収性物品の背側部側の縦方向端部には、ウエストギャザー形成用のウエスト部弾性部材が横方向に伸長状態に配されており、該ウエスト部弾性部材の収縮によりウエストギャザーが形成される前記＜１＞〜＜１５＞の何れか１記載の吸収性物品。
＜１７＞前記吸収体は、前記吸収ポリマーを含む股間部の括れた前記吸収性コアと、該吸収性コアを包む被覆材とを有しており、該吸収体は、縦方向に長い液保持性の該吸収性コアを、液透過性の親水性シートである該被覆材で被覆して形成されている前記＜１＞〜＜１６＞の何れか１記載の吸収性物品。
＜１８＞前記吸収性コアの前記溝部は、縦方向に延びる縦溝と、横方向に延びる横溝とからなり、該吸収性コアの前記凸部は、該縦溝及び該横溝で区画された部位に配されている前記＜１＞〜＜１７＞の何れか１記載の吸収性物品。
＜１９＞前記溝部を構成する前記縦溝は、縦方向に平行に延びているか、縦方向に延びている曲線であるか、あるいは傾斜して延びていており、該溝部を構成する前記横溝は、横方向に平行に延びているか、横方向に延びている曲線であるか、あるいは傾斜して延びている前記＜１＞〜＜１８＞の何れか１記載の吸収性物品。
＜２０＞前記吸収性コアの前記ブロック領域４１１は、該ブロック領域の腹側部の幅及び背側部の幅それぞれが、該ブロック領域の股間部の幅よりも大きく形成されている前記＜１＞〜＜１９＞の何れか１記載の吸収性物品。
【００７４】
＜２１＞腹側の前記ブロック領域の幅と背側のブロック領域の幅とは同じであり、また、股間のブロック領域の幅が最も狭くなっている前記＜１＞〜＜１９＞の何れか１記載の吸収性物品。
＜２２＞前記吸収性コアの腹側部の位置を越える前記ブロック領域の腹側部の部分の縦方向の長さは、該吸収性コアの背側部の位置を越える該ブロック領域の背側部の部分の縦方向の長さよりも長くなっている前記＜１＞〜＜２１＞の何れか１記載の吸収性物品。
＜２３＞前記吸収性コアの前記凸部及び前記溝部４４は一体成形されており、前記非ブロック領域も該凸部及び該溝部と一体成形されている前記＜１＞〜＜２２＞の何れか１記載の吸収性物品。
＜２４＞前記吸収性コアは、前記溝部が、前記吸収性物品の厚み方向において、前記表面シート側に偏在している前記＜１＞〜＜２３＞の何れか１記載の吸収性物品。
＜２５＞前記吸収性コアは、該吸収性コアの非肌対向面側が凹凸のある前記ブロック構造となり、該吸収性コアの肌対向面側が平坦となっている前記＜１＞〜＜２４＞の何れか１記載の吸収性物品。
＜２６＞前記吸収性コアと該吸収性コアを包む前記被覆材とは接着剤を介して固定されており、このように固定された前記吸収体は、前記表面シート及び前記裏面シートそれぞれと接着剤を介して固定されている前記＜１７＞〜＜２５＞の何れか１記載の吸収性物品。
＜２７＞前記被覆材と前記吸収性コアの非肌対向面とが前記接着剤により固定されており、該被覆材と前記吸収性コアの肌対向面とが該接着剤により固定されており、該被覆材における該吸収性コアの縦方向に沿う側縁よりも幅方向外方の被覆材側部は、被覆材側部どうしが該接着剤を介して固定されている前記＜１７＞〜＜２５＞の何れか１記載の吸収性物品。
＜２８＞前記接着剤は、吸収性物品の横方向に間欠的に且つ縦方向に一直線状に塗工されている前記＜２６＞又は＜２７＞記載の吸収性物品。
＜２９＞１枚の前記被覆材の両側部を折り返して該被覆材の側縁部どうしを重ねるようにして前記吸収性コアを包んでいるか、又は、別々の２枚の該被覆材を用いて該吸収性コアを包んでいる前記＜１７＞〜＜２８＞の何れか１記載の吸収性物品。
＜３０＞前記吸収性コアの前記溝部と前記被覆材との間には空間が形成されており、前記吸収体には、該吸収性コアの凹凸のある前記ブロック構造と該吸収性コアを包む該被覆材とにより形成される該空間が形成されている前記＜１７＞〜＜２９＞の何れか１記載の吸収性物品。
【００７５】
＜３１＞前記表面シートとしては、液透過性の不織布や、開孔フィルムを用い、前記裏面シートとしては、樹脂フィルムや樹脂フィルムと不織布の積層体を用い、前記立体ギャザー形成用シートとしては、伸縮性のフィルム、不織布、織物またはそれらの積層シートを用いる前記＜１５＞〜＜３０＞の何れか１記載の吸収性物品。
＜３２＞前記吸収体を構成する前記吸収性コアとしては、パルプ繊維等の繊維の集合体に吸収ポリマーの粒子を保持させたものを用い、該吸収体を構成する前記被覆材としては、親水性シート、例えば、透水性の薄紙（ティッシュペーパー）や透水性の不織布からなるコアラップシートを用いる前記＜１７＞〜＜３１＞の何れか１記載の吸収性物品。
＜３３＞前記接着剤としては、ホットメルト接着剤を用いることができ、該ホットメルト接着剤としては、例えばスチレン−イソプレン−スチレンブロック共重合体（ＳＩＳ）、スチレン−ブタジエン−スチレンブロック共重合体（ＳＢＳ）、スチレン−エチレン−ブチレン−スチレン共重合体（ＳＥＢＳ）のブロックコポリマー系のホットメルト接着剤を用いる前記＜２６＞〜＜２８＞の何れか１記載の吸収性物品。
＜３４＞前記吸収性物品は、展開型の使い捨ておむつである前記＜１＞〜＜３３＞の何れか１記載の吸収性物品。
＜３５＞前記吸収性物品は、背側部の左右両側縁部に一対のファスニングテープが設けられ、腹側部の外表面に、該ファスニングテープを止着させるランディングテープが設けられている前記＜３４＞記載の吸収性物品。
＜３６＞前記吸収性物品は、パンツ型使い捨ておむつである前記＜１＞〜＜３３＞の何れか１記載の吸収性物品。
【符号の説明】
【００７６】
１  使い捨ておむつ
２  表面シート
３  裏面シート
４  吸収体
４１  吸収性コア
４１Ｔ  吸収性コア４１の平坦な肌対向面
４１Ｕ  吸収性コア４１の凹凸構造の非肌対向面
４１１  ブロック領域
４１１ａ  ブロック領域４１１の腹側部
４１１ｂ  ブロック領域４１１の背側部
４１１ｃ  ブロック領域４１１の股間部
４１ｅａ，４１ｅｂ  括れ部
４１２  非ブロック領域
４２  被覆材
４３  凸部
４４  溝部
４４Ｘ  横方向（Ｘ方向）に延びる線状の横溝
４４Ｙ  縦方向（Ｙ方向）に延びる線状の縦溝
５  接着剤
６  立体ギャザー
６１  立体ギャザー形成用の弾性部材
６２  立体ギャザー形成用シート
６３  レッグ弾性部材
６４  ウエスト部弾性部材
７  ファスニングテープ
８  ランディングテープ
９  空間
４５  吸収性材料
４６  堆積物
４９  吸収体前駆体
５０  回転ドラム
５１  ドラム凹部
５２  メッシュプレート
５３  難通気性部材
５４，５５  領域
６０  ダクト
６５  バキュームボックス
７０  トランスファーロール
７５  メッシュベルト
８０  バキュームコンベア
９０  加圧手段
Ａ  腹側部，Ｂ  背側部，Ｃ  股間部
ＣＬ  おむつの縦方向に延びる中心線
ＣＸ  吸収性コア４１の横方向（Ｘ方向）に延びる中心線
【図１】
0005997944.tif 000002
【図２】
0005997944.tif 000003
【図３】
0005997944.tif 000004
【図４】
0005997944.tif 000005
【図５】
0005997944.tif 000006
【図６】
0005997944.tif 000007
【図７】
0005997944.tif 000008
【図８】
0005997944.tif 000009